(57)【要約】【課題】振動の発生を抑制できる液体処理装置を提供すること。【解決手段】水処理装置１は、円筒状に形成されるフィルタ２０と、フィルタ２０の内部に配置された排水管部４２と、基端側が排水管部４２に接続されると共に先端側がフィルタ２０の内周面に近接又は当接する位置に配置されて開口し、先端側から基端側に水が流通可能なノズル部４１と、排水管部４２及びノズル部４１の少なくとも一方に気体を導入する気体導入部７０と、を備える。【選択図】図１
2019122952.tif 000002
【特許請求の範囲】
【請求項１】
円筒状に形成されるフィルタと、
前記フィルタの内部に配置された排液管部と、
基端側が前記排液管部に接続されると共に先端側が前記フィルタの内周面に近接又は当接する位置に配置されて開口し、先端側から基端側に液体が流通可能なノズル部と、
前記排液管部及び前記ノズル部の少なくとも一方に接続される気体導入ラインを有し、該排液管部及び該ノズル部の少なくとも一方に気体を導入する気体導入部と、を備える液体処理装置。
【請求項２】
前記気体導入部は、前記ノズル部の先端部に気体を導入する請求項１に記載の液体処理装置。
【請求項３】
前記フィルタは、中心軸を回転軸として回転可能に構成されると共に、該中心軸が鉛直方向に沿うように配置され、
前記気体導入部は、前記排液管部の上端部に気体を導入する請求項１又は請求項２に記載の液体処理装置。
【請求項４】
前記排液管部の内部の圧力を測定する第１圧力測定部と、
前記第１圧力測定部により測定される第１圧力に基づいて前記気体導入部による気体の導入を制御する制御部と、を更に備える請求項１〜請求項３のいずれかに記載の液体処理装置。
【請求項５】
前記フィルタの２次側の圧力を測定する第２圧力測定部を更に備え、
前記制御部は、前記第２圧力測定部により測定される第２圧力と前記第１圧力との差圧に基づいて、前記気体導入部による気体の導入を制御する、請求項４に記載の液体処理装置。
【発明の詳細な説明】
【技術分野】
【０００１】
本発明は、液体処理装置に関する。
【背景技術】
【０００２】
従来、タンカー等の船舶において、積み荷の原油等を降ろした後、再度目的地に向けて航行する際、航行中の船舶のバランスを取るため、船舶に設けられたバラストタンク内にバラスト水と呼ばれる水を貯留する。バラスト水は、基本的に荷上港で取水されて、荷積港で排出される。そのため、それらの場所が異なっていれば、バラスト水中に含まれるプランクトンや細菌類の微生物が世界中を移動することになる。従って、荷上港と異なる海域の荷積港でバラスト水を排出すると、その港に別の海域の微生物を放出することになり、その海域の生態系を破壊するおそれがある。
【０００３】
バラスト水の中に含まれる微生物、砂、ゴミ等の異物を除去するために、バラスト水を濾過するフィルタを備えるバラスト水処理装置が用いられている。バラスト水処理装置に用いられるフィルタとしては、例えば、周面に多数の穴が形成された円筒状の濾過体が用いられる。バラスト水処理装置では、フィルタの目詰まりが激しいため、恒常的なフィルタの洗浄が重要とされている。
【０００４】
そこで、フィルタでの濾過を行いながら、フィルタの一次側に付着した異物を除去する洗浄を行う水処理装置（バラスト水処理装置）が提案されている（例えば、特許文献１参照）。
【先行技術文献】
【特許文献】
【０００５】
【特許文献１】特表２００８−５０７３９１号公報
【発明の概要】
【発明が解決しようとする課題】
【０００６】
特許文献１で提案されたバラスト水処理装置は、円筒状のフィルタと、先端側がフィルタの内面に摺動可能に当接し水を吸引するノズル部と、このノズル部が接続されノズル部を流れる水を外部に排出する排水管部と、を備える。
【０００７】
以上のバラスト水処理装置によれば、汲み上げられた水は、円筒状のフィルタの内部に導入され、フィルタの内側から外側に向けて流されることで濾過される。また、ノズル部の先端が当接する部分において、水がフィルタの外面側から内面側に流れることでフィルタの内面に付着した異物を剥離させる。剥離された異物は、ノズル部から吸引されて排水管部に流れ外部に排出される。
【０００８】
ところで、フィルタに付着する異物の影響や、ノズル部とフィルタの内面との接触状態等により、ノズル部から吸引される水量に変化が生じると、ノズル部及び排水管部の内部において圧力変動が生じる。そして、この圧力変動に起因してバラスト水処理装置を含む液体処理装置に振動が発生する場合がある。
【０００９】
従って、本発明は、振動の発生を抑制できる液体処理装置を提供することを目的とする。
【課題を解決するための手段】
【００１０】
本発明は、円筒状に形成されるフィルタと、前記フィルタの内部に配置された排液管部と、基端側が前記排液管部に接続されると共に先端側が前記フィルタの内周面に近接又は当接する位置に配置されて開口し、先端側から基端側に液体が流通可能なノズル部と、前記排液管部及び前記ノズル部の少なくとも一方に気体を導入する気体導入部と、を備える液体処理装置に関する。
【００１１】
また、前記気体導入部は、前記ノズル部の先端部に気体を導入することが好ましい。
【００１２】
また、前記フィルタは、中心軸を回転軸として回転可能に構成されると共に、該中心軸が鉛直方向に沿うように配置され、前記気体導入部は、前記排液管部の上端部に気体を導入することが好ましい。
【００１３】
また、液体処理装置は、前記排液管部の内部の圧力を測定する第１圧力測定部と、前記第１圧力測定部により測定される第１圧力に基づいて前記気体導入部による気体の導入を制御する制御部と、を更に備えることが好ましい。
また、液体処理装置は、前記フィルタの２次側の圧力を測定する第２圧力測定部を更に備え、前記制御部は、前記第２圧力測定部により測定される第２圧力と前記第１圧力との差圧に基づいて、前記気体導入部による気体の導入を制御することが好ましい。
【発明の効果】
【００１４】
本発明の液体処理装置によれば、振動の発生を抑制できる。
【図面の簡単な説明】
【００１５】
【図１】本発明の第１実施形態に係るバラスト水処理装置の構成を示す図である。
【図２】本発明の第２実施形態に係るバラスト水処理装置の構成を示す図である。
【図３】本発明の第３実施形態に係るバラスト水処理装置の構成を示す図である。
【発明を実施するための形態】
【００１６】
以下、本発明の液体処理装置の好ましい各実施形態について、図面を参照しながら説明する。まず、第１実施形態の液体処理装置としてのバラスト水処理装置１につき、図１を参照しながら説明する。
液体処理装置としてのバラスト水処理装置１は、海水等の水を汲み上げるラインと、汲み上げた水をバラスト水として貯留するバラストタンクと、を備える船舶に取り付けられ、汲み上げた水に含まれる異物を除去するために用いられる。このバラスト水処理装置１は、図１に示すように、ケーシング１０と、このケーシング１０の内部に配置されるフィルタ２０と、フィルタ回転手段３０と、ケーシング１０にバラスト水を導入する導入部１４と、フィルタ２０に付着した異物を吸引して除去する洗浄機構４０と、フィルタ２０に洗浄水を噴射する噴射ノズル５０と、ケーシング１０の内部に圧縮ガスを供給する圧縮ガス供給部６０と、洗浄機構４０（後述の排水管部４２及びノズル部４１の少なくとも一方）に気体を導入する気体導入部７０と、を備える。
また、このバラスト水処理装置１には、ケーシング１０にバラスト水を導入する導入ラインＬ１と、洗浄水ラインＬ２と、が接続される。
尚、本明細書において「ライン」とは、流路、経路、管路等の流体の流通が可能なラインの総称である。
【００１７】
ケーシング１０は、バラスト水を収容する。ケーシング１０は、円筒状に構成され、中心軸が鉛直方向に沿って配置される。ケーシング１０は、上端部及び下端部が開口した円筒状の本体部１１と、本体部１１の上端部を密閉する上側蓋部１２と、本体部１１の下端部を密閉する下側蓋部１３と、を備える。
本体部１１の周面には、ケーシング１０に収容され、後述のフィルタ２０により濾過されたバラスト水が流出する流出口１１１が設けられる。
上側蓋部１２及び下側蓋部１３における本体部１１の中心軸に一致する位置には、それぞれ、後述のフィルタ回転手段３０が配置される貫通穴が形成される。
【００１８】
フィルタ２０は、上端部及び下端部が開口した円筒状のフィルタ本体２１と、フィルタ本体２１の上端部を密閉する上側閉止部２２と、フィルタ本体２１の下端部を密閉する下側閉止部２３と、を備える。
フィルタ２０（フィルタ本体２１）は、ケーシング１０より小さな円筒状に形成され、ケーシング１０と同軸となるように、ケーシング１０の内部に配置される。これにより、ケーシング１０とフィルタ２０との間には、バラスト水流出空間Ｓ１が形成される。フィルタ本体２１は、例えば、多数の貫通孔が形成された金属板を円筒状に曲げ加工すると共に、円筒状の軸方向に延びる一対の側縁部を溶接することにより形成される。
下側閉止部２３におけるフィルタ本体２１の中心軸に一致する位置には、フィルタ２０の内部にバラスト水導入するための貫通穴が形成される。
【００１９】
フィルタ回転手段３０は、ケーシング１０の内部に配置されたフィルタ２０を、中心軸を回転軸として回転させる。このフィルタ回転手段３０は、上部回転軸部材３１及び下部回転軸部材３２と、上部回転軸部材３１を回転させるモータ３３と、を含んで構成される。
上部回転軸部材３１は、フィルタ２０の上側閉止部２２におけるフィルタ２０の中心軸に対応する位置に、上向きに突出して固定される。下部回転軸部材３２は、フィルタ２０の下側閉止部２３におけるフィルタ２０の中心軸に対応する位置に、下向きに突出して固定される。即ち、上部回転軸部材３１及び下部回転軸部材３２は、それぞれ、フィルタ２０の端部を構成する。
【００２０】
上部回転軸部材３１は、ケーシング１０の上側蓋部１２に形成された貫通穴に配置され、すべり軸受３４を介して上側蓋部１２に回転自在に、かつ、液密に支持される。
下部回転軸部材３２は、ケーシング１０の下側蓋部１３に形成された貫通穴に配置され、すべり軸受３５を介して下側蓋部１３に回転自在に、かつ、液密に支持される。下部回転軸部材３２は、フィルタ２０の内部と連通する管状体となっている。そして、下部回転軸部材３２の上端部は、下側閉止部２３に形成された貫通穴に接続され、下端部は、ケーシング１０の下側蓋部１３に形成された貫通穴の内側に位置するように配置される。
【００２１】
導入部１４は、管状部材により形成され、上端部が下部回転軸部材３２の下端側を覆うように、下側蓋部１３に接続される。導入部１４の下端部は、後述の導入ラインＬ１に接続され、この導入ラインＬ１から供給されるバラスト水をケーシング１０の内部におけるフィルタ２０の一次側に導入する。
【００２２】
洗浄機構４０は、ノズル部４１と、排液管部としての集合管４２と、排出管４３と、排出管４３に配置される開閉弁４４と、を備える。
【００２３】
ノズル部４１は、フィルタ２０の一次側（内側）に配置され、先端側がフィルタ２０の一次側の面（内周面）に向かって開口する。本実施形態では、ノズル部４１は、フィルタ２０の中心軸の延びる方向に垂直な方向（水平方向）に延びるように配置される。また、ノズル部４１は、フィルタ２０の中心軸の延びる方向（上下方向）に所定の間隔をあけて複数本配置される。ノズル部４１の基端側は、集合管４２に接続される。ノズル部４１には、フィルタ２０の二次側から一次側に向かって流れるバラスト水及びこのバラスト水によりフィルタ２０の内周面から剥離された異物が流通する。
【００２４】
集合管４２は、フィルタ２０の内部に配置される。より具体的には、集合管４２は、フィルタ２０の中心軸に一致する位置に配置され、上端部が閉鎖し下端部が開口している。集合管４２の上端部は、フィルタ２０の上側閉止部２２の中央に設けられた孔に挿入されて支持されている。集合管４２には、ノズル部４１を流通したバラスト水及び異物が集合して流通する。
【００２５】
排出管４３は、上端部が集合管４２の下端部に接続され、下部回転軸部材３２の内部を、フィルタ２０の回転を妨げないように下方に延びる。排出管４３の下端側は、屈曲して延びており、導入部１４の周面を貫通している。排出管４３は、集合管４２を流通したバラスト水及び異物を排出する。
開閉弁４４は、排出管４３における導入部１４の貫通部分よりも二次側に配置され、排出管４３を開閉する。
【００２６】
噴射ノズル５０は、フィルタ２０の二次側に配置され、先端部がフィルタ２０の二次側の面（外周面）に向かって開口する。本実施形態では、噴射ノズル５０は、フィルタ２０の中心軸の延びる方向（上下方向）に所定の間隔をあけて複数本配置される。噴射ノズル５０は、後述の洗浄水ラインＬ２に接続され、洗浄水ラインＬ２から供給される洗浄水をフィルタ２０の二次側の面に向かって噴射する。
【００２７】
圧縮ガス供給部６０は、上流側がコンプレッサ等の圧縮ガス供給源（図示せず）に接続される圧縮ガス供給ライン６１と、圧縮ガス供給弁６２と、を備える。圧縮ガス供給ライン６１の下流側は、ケーシング１０の上側蓋部１２に接続され、フィルタ２０とケーシング１０との間（ケーシング１０の内部におけるフィルタ２０の二次側）に圧縮ガスを供給する。
【００２８】
気体導入部７０は、上流側がコンプレッサ等の圧縮ガス供給源（図示せず）に接続される気体導入ライン７１と、この気体導入ライン７１に配置される気体供給弁７２と、を備える。
第１実施形態では、気体導入ライン７１の下流側は、ノズル部４１の先端部に接続される。より具体的には、気体導入ライン７１は、集合管４２に沿って上下方向に延びるメインライン部７１１と、このメインライン部７１１から分岐して複数のノズル部４１に沿ってそれぞれ延びる複数の分岐ライン部７１２と、を備える。そして、複数の分岐ライン部７１２の先端側が、ノズル部４１の先端部に接続される。気体導入ライン７１（複数の分岐ライン部７１２）の先端部には、多孔質の焼結金属又は多孔質板等により構成されるノズルが取り付けられる（図示せず）。
【００２９】
以上の気体導入部７０によれば、気体供給弁７２を開放することで、圧縮ガス供給源から気体導入部７０を通じて複数のノズル部４１の先端部に気体（空気）が導入される。また、気体導入ライン７１の先端部には、ノズルが取り付けられているため、ノズル部４１には、気体が微小な気泡となって導入される。
【００３０】
導入ラインＬ１は、ケーシング１０にバラスト水（海水）を導入する。導入ラインＬ１の先端部は、導入部１４に接続される。導入ラインＬ１には、ポンプ８１及び開閉弁８２が配置される。
【００３１】
洗浄水ラインＬ２は、先端側が噴射ノズル５０に接続され、噴射ノズル５０に洗浄水を供給する。洗浄水ラインＬ２の基端側は、洗浄水供給源（図示せず）に接続される。
【００３２】
以上のバラスト水処理装置１によれば、バラスト水を濾過する場合には、導入ラインＬ１の開閉弁８２が開状態とされ、ポンプ８１が駆動される。また、フィルタ回転手段３０によりフィルタ２０が回転される。すると、導入ラインＬ１から導入部１４に供給されたバラスト水は、下部回転軸部材３２を通ってケーシング１０の内部におけるフィルタ２０の一次側（内側）に導入されてフィルタ２０により濾過処理され、流出口１１１から流出する。流出口１１１から流出したバラスト水は、バラストタンク（図示せず）に貯留される。
【００３３】
また、この状態においては、洗浄機構４０の開閉弁４４が開かれることで、ノズル部４１、集合管４２及び排出管４３の内部がケーシング１０の内部に対して負圧となる。すると、フィルタ２０の一次側から二次側（バラスト水流出空間Ｓ１側）に濾過されたバラスト水の一部が再びフィルタ２０の二次側から一次側に流れ、フィルタ２０の内周面に付着した異物を剥離させる。フィルタ２０の内周面から剥離された異物は、ノズル部４１から吸引される。
【００３４】
ノズル部４１により吸引された異物は、集合管４２及び排出管４３を通り、排出される。これにより、フィルタ２０が洗浄され、フィルタ２０の一次側に付着した異物が除去される。
尚、バラスト水の濾過処理を行う場合には、圧縮ガス供給部６０の圧縮ガス供給弁６２は、いずれも閉止される。
【００３５】
一方、バラスト水処理装置１の運転が終了した後や、その他フィルタ２０をより強力に洗浄したい場合には、ケーシング１０に収容されたバラスト水を排出し、その後、ケーシング１０の内部に水が存在しない状態でフィルタ２０に洗浄水を噴き付けて異物を除去する洗浄を行う。このような場合には、まず、導入ラインＬ１の開閉弁８２が閉状態とされ、ポンプ８１は停止される。また、洗浄機構４０の開閉弁が閉止される。そして、この状態で、圧縮ガス供給部６０の圧縮ガス供給弁６２が開状態とされる。これにより、ケーシング１０に収容されたバラスト水は速やかに排出される。
【００３６】
ここで、バラスト水の濾過処理を行っている状態では、フィルタ２０に付着する異物の影響や、ノズル部４１とフィルタ２０の内面との接触状態等により、ノズル部４１から吸引される水量に変化が生じると、ノズル部４１、集合管４２及び排出管４３の内部において圧力変動が生じる。そして、この圧力変動に起因してバラスト水処理装置１に振動が発生する場合がある。
【００３７】
そこで、本実施形態では、バラスト水処理装置１を、ノズル部４１に気体を導入する気体導入部７０を含んで構成している。バラスト水の濾過を行っている状態において、気体導入部７０からノズル部４１に気体を導入することで、ノズル部４１、集合管４２及び排出管４３を流通する水に気泡を混入させられる。このように、ノズル部４１、集合管４２及び排出管４３を流通する水に気泡を混入させることで、ノズル部４１から吸引される水量に変化が生じた場合等にノズル部４１、集合管４２及び排出管４３の内部において生じる圧力変動を抑制できる。よって、圧力変動に起因する振動の発生を抑制できる。
ノズル部４１、集合管４２及び排出管４３の内部における圧力変動を好適に低減する観点から、気体（気泡）の混入率は、１％〜１０％であることが好ましく、３％〜７％であることがより好ましい。
【００３８】
尚、気体導入部７０によるノズル部４１への気体の導入は、バラスト水の濾過を行っている場合に連続的に行ってもよいが、これに限らない。例えば、バラスト水処理装置を、集合管４２又は排出管４３の内部の圧力を測定する圧力測定部と、この圧力測定部により測定される圧力に基づいて気体導入部７０による気体の導入を制御する制御部と、を含んで構成してもよい。そして、圧力測定部により測定される圧力の変動幅が予め設定された所定の閾値を超えた場合に気体導入部７０による気体の導入を行ってもよい。このように構成した場合には、圧力測定部により集合管４２の内部において所定の圧力変動が測定された場合に気体導入部７０を動作させて圧力変動を抑えられる。よって、必要な場合にのみ気体導入部７０から気体を導入させられるので、エネルギの消費を抑えられる。
【００３９】
以上説明した第１実施形態のバラスト水処理装置１によれば、以下のような効果を奏する。
【００４０】
バラスト水処理装置１を、フィルタ２０の内周面に近接又は当接し先端側から基端側に水が流通可能なノズル部４１と、ノズル部４１の基端側が接続され水が流通可能な集合管４２と、集合管４２及びノズル部４１の少なくとも一方に気体を導入する気体導入部７０と、を含んで構成した。これにより、気体導入部７０から集合管４２又はノズル部４１に気体を導入することで、集合管４２及びノズル部４１を流通する水に気泡を混入させられる。よって、ノズル部４１から吸引される水量に変化が生じた場合等にノズル部４１及び集合管４２の内部において生じる圧力変動を抑制できる。よって、圧力変動に起因する振動の発生を抑制できる。その結果、バラスト水処理装置１をより安定的に運転させられ、装置の長寿命化を図れる。
【００４１】
気体導入部７０に、ノズル部４１の先端部から気体を導入させた。これにより、ノズル部４１及び集合管４２の全体に気泡を混入させられるので、圧力変動の抑制効果を高められる。
【００４２】
気体導入ライン７１を、メインライン部７１１と、複数の分岐ライン部７１２と、を含んで構成し、複数の分岐ライン部７１２により複数のノズル部４１すべての先端部に気体を導入させた。これにより、すべてのノズル部４１に気体（気泡）を導入できるので、圧力変動の抑制効果をより高められる。
【００４３】
気体導入ライン７１の先端部に、多孔質の焼結金属又は多孔質板等により構成されるノズルを取り付けた。これにより、ノズル部４１に、微小な気泡として気体を導入できるので、圧力変動の抑制効果を更に高められる。
【００４４】
フィルタ２０を円筒状に形成する場合、円筒状の側面（周面）において、溶接等による接合箇所が生じる。この接合箇所においては、フィルタ２０の目が塞がれてしまう。ここで、フィルタ２０を回転可能に構成してノズル部４１をフィルタ２０の内周面に当接させた場合、ノズル部４１が接合箇所に当接したタイミングで、特に圧力変動が生じやすくなることが考えられる。本実施形態によれば、このようにフィルタ２０を回転可能に構成したバラスト水処理装置１において、特に好適にノズル部４１及び集合管４２の内部の圧力変動を抑制できる。
【００４５】
次に、第２実施形態に係るバラスト水処理装置１Ａにつき、図２を参照しながら説明する。第２実施形態のバラスト水処理装置１Ａは、気体導入部７０Ａ（気体導入ライン７１Ａ）の配置において第１実施形態と異なる。尚、第２実施形態の説明にあたって、同一構成要件については同一符号を付し、その説明を省略もしくは簡略化する。
第２実施形態では、気体導入ライン７１Ａの下流側は、集合管４２の上端部に接続される。これにより、第２実施形態では、気体は、集合管４２の上端部に導入される。
【００４６】
第２実施形態のバラスト水処理装置１Ａによれば、第１実施形態と同様の効果を奏する他、以下のような効果を奏する。
フィルタ２０を、中心軸が鉛直方向に沿うように配置し、気体導入部７０Ａから集合管４２の上端部に気体を導入させた。これにより、集合管４２の上端部に気体を導入することで、集合管４２の水の流れにより集合管４２全体に気泡を混入させられる。よって、圧力変動を効果的に抑制できる。
【００４７】
次に、第３実施形態に係るバラスト水処理装置１Ｂにつき、図３を参照しながら説明する。第３実施形態のバラスト水処理装置１Ｂは、排出管４３の内部の圧力とフィルタ２０の２次側の圧力の差圧に基づいて気体導入部７０による気体の導入を制御する点において第１実施形態と異なる。尚、第３実施形態の説明にあたって、同一構成要件については同一符号を付し、その説明を省略もしくは簡略化する。
本実施形態のバラスト水処理装置１Ｂは、図３に示すように、第１圧力測定部９１と、第２圧力測定部９２と、制御部９３と、を含んで構成される。第１圧力測定部９１は、排出管４３の内部に設置され、排出管４３の内部の圧力（第１圧力Ｐ１）を測定する。第２圧力測定部９２は、フィルタ２０の２次側に配置され、フィルタ２０の２次側の圧力（第２圧力Ｐ２）を測定する。そして、制御部９３は、第２圧力Ｐ２と第１圧力Ｐ１の差圧ΔＰ（＝Ｐ２−Ｐ１）に基づいて気体導入部７０による気体の導入を制御する。
【００４８】
具体的には、制御部９３は、差圧ΔＰが予め設定された所定の閾値を超えた場合に、気体導入部７０を制御して気体の導入を行う。差圧ΔＰの所定の閾値としては例えば、１００ｋＰａ〜５００ｋＰａとすることが好ましく、２００ｋＰａ〜４００ｋＰａとすることがより好ましく、２５０ｋＰａ〜３５０ＫＰａとすることがさらに好ましい。差圧ΔＰの所定の閾値は、具体的には例えば、２５０，２６０，２７０，２８０，２９０，３００，３１０，３２０，３３０，３４０，３５０ｋＰａであり、ここで例示した数値の何れか２つの間の範囲内であってもよい。
【００４９】
なお、差圧ΔＰが一旦所定の閾値を超えた場合の気体導入部７０による気体の導入は、所定時間連続で行うことが好ましい。つまり、制御部９３は、差圧ΔＰが一旦所定の閾値を超えた場合、気体導入部７０による気体の導入を開始するが、その後差圧ΔＰが一時的に所定の閾値を下回ったとしても、所定時間（例えば、１時間）が経過するまでは気体導入部７０による気体の導入を停止しないようにする。これは、差圧ΔＰが所定の閾値を下回ってすぐ気体の導入を停止すると、再度差圧ΔＰが上昇してハンチングが起こる可能性が高いからである。所定時間経過後、差圧ΔＰが低い状態で安定してから気体の導入を停止することで、ハンチングを抑制し、より効果的に水撃を抑えることが可能となる。なお、所定時間内においても、第１圧力測定部９１及び第２圧力測定部９２による差圧ΔＰの検出は継続することが好ましい。これにより、差圧ΔＰが所定の閾値を下回らない場合は、所定時間経過後も気体の導入を継続させ、水撃を抑えることが可能である。
【００５０】
以上、本発明のバラスト水処理装置の好ましい一実施形態について説明した。しかし、本発明は、上述した実施形態に限定されることなく、種々の形態で実施することができる。
例えば、第１実施形態では、気体導入ライン７１をメインライン部７１１と、複数の分岐ライン部７１２と、を含んで構成し、複数の分岐ライン部７１２により複数のノズル部４１すべての先端部に気体を導入可能としたが、これに限らない。即ち、複数のノズル部のうちの所定のノズル部にのみ分岐ライン部を配置して気体を導入してもよい。
【００５１】
また、第１実施形態〜第３実施形態では、本発明を、ノズル部４１に対して回転するフィルタ２０を有するバラスト水処理装置１，１Ａ，１Ｂに適用したが、これに限らない。即ち、本発明を、ノズル部がフィルタに対して回転する構成のバラスト水処理装置に適用してもよい。また、本発明を、ノズル部及びフィルタが共に回転しない構成のバラスト水処理装置に適用してもよい。
【００５２】
また、第１実施形態及び第２実施形態では、フィルタ２０の回転軸が上下方向（鉛直方向）に沿うようにフィルタ２０を配置したが、これに限らない。即ち、回転軸が水平方向に沿うようにフィルタを配置してもよい。
【００５３】
また、第１実施形態〜第３実施形態では、本発明を、船舶で用いられバラスト水を処理するバラスト水処理装置に適用したが、これに限らない。即ち、本発明を、海、河川、湖沼、池等の水、及び工業水等を処理する水処理装置に適用してもよい。さらに、水を処理する水処理装置ではなく、水以外の液体（例えば、油）を処理する液体処理装置に適用することも可能である。
【符号の説明】
【００５４】
１，１Ａ，１Ｂ  バラスト水処理装置（液体処理装置）
１０  ケーシング
１１  本体部
１１１  流出口
１２  上側蓋部
１３  下側蓋部
１４  導入部
２０  フィルタ
２１  フィルタ本体
２２  上側閉止部
２３  下側閉止部
３０  回転手段
３１  上部回転軸部材
３２  下部回転軸部材
３３  モータ
４０  洗浄機構
４１  ノズル部
４２  集合管（排液管部）
４３  排出管
４４  開閉弁
５０  噴射ノズル
６０  圧縮ガス供給部
６１  圧縮ガス供給ライン
６２  圧縮ガス供給弁
７０，７０Ａ  気体導入部
７１  気体導入ライン
７１１  メインライン部
７１２  分岐ライン部
７２  気体導入弁
８１  ポンプ
８２  開閉弁
９１  第１圧力測定部
９２  第２圧力測定部
９３  制御部
Ｌ１  導入ライン
Ｌ２  洗浄水ライン
Ｐ１  第１圧力
Ｐ２  第２圧力
ΔＰ  差圧
【図１】
2019122952.tif 000003
【図２】
2019122952.tif 000004
【図３】
2019122952.tif 000005